(57)【特許請求の範囲】
【請求項１】
太陽光発電パネルを太陽光発電パネル設置用架台に取り付ける際に、前記太陽光発電パネルと前記太陽光発電パネル設置用架台との間に介在させ、六角ボルトを用いて前記太陽光発電パネル及び前記太陽光発電パネル設置用架台のそれぞれに固定される連結金具であって、
反対方向に開口する二つの取付溝を備え、
該二つの取付溝のそれぞれが、底面部と、該底面部の両端から対向するように延設される一対の側面部と、該一対の側面部のそれぞれの端部から前記底面部と平行にかつ互いに近づく方向に延設される一対の天面部と、を有し、
前記二つの取付溝が、平面視で重ならないように、かつ隣り合うように形成されている、連結金具。
【請求項２】
前記二つの取付溝のそれぞれが直線状に形成されている、請求項１に記載の連結金具。
【請求項３】
前記二つの取付溝が平行に形成されている、請求項２に記載の連結金具。
【請求項４】
前記二つの取付溝のそれぞれが断面視Ｃ字形状を有する、請求項１−３のいずれか１項に記載の連結金具。
【請求項５】
断面視Ｓ字形状を有する、請求項１−４のいずれか１項に記載の連結金具。
【請求項６】
断面視点対称となる形状を有する、請求項１−５のいずれか１項に記載の連結金具。
【請求項７】
前記取付溝の前記一対の側面部の離隔間隔が、前記六角ボルトの頭部の二面幅に等しいか又は大きく、かつ前記六角ボルトの頭部の対角距離よりも小さい、請求項１−６のいずれか１項に記載の連結金具。
【請求項８】
前記取付溝の前記一対の天面部の離隔間隔が、前記六角ボルトの軸部の軸径に等しいか又は大きく、かつ前記六角ボルトの頭部の二面幅よりも小さい、請求項１−７のいずれか１項に記載の連結金具。
【発明の詳細な説明】
【技術分野】
【０００１】
本発明は、太陽光発電パネルを太陽光発電パネル設置用架台に取り付ける際に、太陽光発電パネルと太陽光発電パネル設置用架台との間に介在させて用いられる連結金具に関する。
【背景技術】
【０００２】
多くの太陽光発電パネルは、複数枚配列したセルを樹脂や強化ガラスなどで挟み、外周を金属製のフレーム枠で補強した構造となっており、地盤に打設された支持杭の上部に井桁状に組まれた桟材を連結した構造からなる太陽光発電パネル設置用架台に取り付けて使用される。一般にフレーム枠の裏側（セルが配列されている集光面の逆側）は、安定的に架台の桟材上に載置できるように内側に向かってフランジを有するように形成されている。【０００３】
このような太陽光発電パネルを太陽光発電パネル設置用架台に取り付ける際には、例えば特許文献１に開示されているように、太陽光発電パネルのフレーム枠に設けられた取付孔に合わせたボルト挿通孔を架台の桟材にあけ、ボルトを取付孔及びボルト挿通孔に通してナットを螺合させて締め付けることで、太陽光発電パネルを太陽光発電パネル設置用架台に固定する方式が一般的に用いられている。
【先行技術文献】
【特許文献】
【０００４】
【特許文献１】特開２０１２−２１５０６７号公報
【発明の概要】
【発明が解決しようとする課題】
【０００５】
破損や故障等により太陽光発電パネルの交換が必要になった場合、図７に示すように、交換対象となる太陽光発電パネルを架台から取り外して、新たな太陽光発電パネルを上述のような固定方法で再び取り付けることになる。しかしながら、交換対象となった太陽光発電パネルと新しい太陽光発電パネルの型番が異なると取付孔の位置が異なる場合があり、そのような場合には太陽光発電パネル設置用架台のボルト挿通孔と交換する新しい太陽光発電パネルの取付孔の位置が合わないという問題が生じる。新しい太陽光発電パネルの取付孔の位置に合わせて太陽光発電パネル設置用架台側に新たなボルト挿通孔をあけることも考えられるが、すでに現場に設置されている架台に対してそのような作業を行うことは大変非効率であり、また必ずしも新しい太陽光発電パネルの取付孔に対応する位置に架台の桟材が存在するとは限らない。【０００６】
本発明は上述のような事情に基づいてなされたものであり、太陽光発電パネル側の取付孔と太陽光発電パネル設置用架台側のボルト挿通孔との位置関係によらず、太陽光発電パネルを太陽光発電パネル設置用架台に取り付けることを可能にする連結金具の提供を目的とする。
【課題を解決するための手段】
【０００７】
上記課題を解決するために、本発明は、太陽光発電パネルを太陽光発電パネル設置用架台に取り付ける際に、前記太陽光発電パネルと前記太陽光発電パネル設置用架台との間に介在させ、六角ボルトを用いて前記太陽光発電パネル及び前記太陽光発電パネル設置用架台のそれぞれに固定される連結金具であって、反対方向に開口する二つの取付溝を備え、該二つの取付溝のそれぞれが、底面部と、該底面部の両端から対向するように延設される一対の側面部と、該一対の側面部のそれぞれの端部から前記底面部と平行にかつ互いに近づく方向に延設される一対の天面部と、を有する、連結金具を提供する（発明１）。【０００８】
かかる発明（発明１）によれば、二つの取付溝の一方の取付溝を太陽光発電パネル側に、もう一方の取付溝を太陽光発電パネル設置用架台側に向けて当該連結金具を配置し、それぞれの取付溝に六角ボルトの頭部を嵌合させ、一方の取付溝の天面部と太陽光発電パネルのフレームとを挟み込むように六角ボルトとナットとで連結金具と太陽光発電パネルとを締着し、もう一方の取付溝の天面部と太陽光発電パネル設置用架台の桟材とを挟み込むように六角ボルトとナットとで連結金具と太陽光発電パネル設置用架台とを締着することができるので、太陽光発電パネル側の取付孔と太陽光発電パネル設置用架台側のボルト挿通孔との位置関係によらず、太陽光発電パネルを太陽光発電パネル設置用架台に取り付けることができる。【０００９】
上記発明（発明１）においては、前記二つの取付溝のそれぞれが直線状に形成されていてもよい（発明２）。【００１０】
上記発明（発明２）においては、前記二つの取付溝が平行に形成されていてもよい（発明３）。【００１１】
上記発明（発明１−３）においては、前記二つの取付溝が平面視で重ならないように形成されていてもよい（発明４）。【００１２】
上記発明（発明１−４）においては、前記二つの取付溝のそれぞれが断面視Ｃ字形状を有していてもよい（発明５）。【００１３】
上記発明（発明１−５）においては、連結金具が断面視Ｓ字形状を有していてもよい（発明６）。【００１４】
上記発明（発明１−６）においては、連結金具が断面視点対称となる形状を有していてもよい（発明７）。【００１５】
かかる発明（発明７）によれば、上下の区別なく連結金具を用いることができるため、連結金具使用の利便性が向上する。【００１６】
上記発明（発明１−７）においては、前記取付溝の前記一対の側面部の離隔間隔が、前記六角ボルトの頭部の二面幅に等しいか又は大きく、かつ前記六角ボルトの頭部の対角距離よりも小さいことが好ましい（発明８）。【００１７】
かかる発明（発明８）によれば、取付溝の一対の側面部が六角ボルトの頭部を回転不能に保持することができるので、連結金具を用いた太陽光発電パネルの太陽光発電パネル設置用架台への取付作業を安定的に行うことができるとともに、取付状態を安定させることができる。【００１８】
上記発明（発明１−８）においては、前記取付溝の前記一対の天面部の離隔間隔が、前記六角ボルトの軸部の軸径に等しいか又は大きく、かつ前記六角ボルトの頭部の二面幅よりも小さいことが好ましい（発明９）。【００１９】
かかる発明（発明９）によれば、取付溝に嵌合させた六角ボルトの頭部が天面部の間（すなわち取付溝の開口）から抜けないように保持することができるので、連結金具を用いた太陽光発電パネルの太陽光発電パネル設置用架台への取付作業を安定的に行うことができるとともに、取付状態を安定させることができる。
【発明の効果】
【００２０】
本発明の連結金具によれば、太陽光発電パネル側の取付孔と太陽光発電パネル設置用架台側のボルト挿通孔との位置関係によらず、太陽光発電パネルを太陽光発電パネル設置用架台に取り付けることができる。
【図面の簡単な説明】
【００２１】
【図１】本発明の一実施形態に係る連結金具を示す説明図であり、（ａ）は斜め上方から見た斜視図、（ｂ）は側面図である。
【図２】（ａ）は同実施形態に係る連結金具を、六角ボルトを用いて太陽光発電パネルのフレームに締着させた状態を示す説明図であり、（ｂ）はその分解状態を示す説明図である。
【図３】（ａ）は同実施形態に係る連結金具を、六角ボルトを用いて太陽光発電パネル設置用架台の桟材に締着させた状態を示す説明図であり、（ｂ）はその分解状態を示す説明図である。
【図４】（ａ）は交換して新たに取り付けられる太陽光発電パネル（新パネル）のフレームにおける取付孔の位置を示す説明図であり、（ｂ）は故障等により交換される太陽光発電パネル（旧パネル）のフレームにおける取付孔の位置を示す説明図である。
【図５】太陽光発電パネル設置用架台から旧パネルを取り外した状態を示す説明図である。
【図６】同実施形態に係る連結金具を用いて、新パネルを太陽光発電パネル設置用架台に取り付けた状態を示す説明図である。
【図７】太陽光発電パネル設置用架台から交換対象となる太陽光発電パネル１枚を取り外す様子を示す説明図である。
【発明を実施するための形態】
【００２２】
以下、本発明の連結金具の実施の形態について、適宜図面を参照して説明する。以下に説明する実施形態は、本発明の理解を容易にするためのものであって、何ら本発明を限定するものではない。
【００２３】
本実施形態に係る連結金具１は、やや厚みのある平面視略矩形状のプレート形状を有しており、太陽光発電パネルを太陽光発電パネル設置用架台に取り付ける際に、太陽光発電パネルと太陽光発電パネル設置用架台との間に介在させ、六角ボルトを用いて太陽光発電パネル及び太陽光発電パネル設置用架台のそれぞれに固定される。連結金具１は、図１（ａ）及び（ｂ）に示すように、反対方向に開口する二つの取付溝（第１取付溝１１ａ、第２取付溝１１ｂ）を備える。なお、本実施形態の説明においては、図１に示すように、連結金具１の取付溝１１ａ、１１ｂが形成されている方向をｘ方向、取付溝１１ａ、１１ｂと直交する方向をｙ方向、厚み方向をｚ方向と呼ぶことがある。
【００２４】
連結金具１の第１取付溝１１ａ及び第２取付溝１１ｂは、互いに反対方向を向いて開口するように形成されており、連結金具１を太陽光発電パネルと太陽光発電パネル設置用架台との間に介在させるときに、第１取付溝１１ａが太陽光発電パネル側に向いている場合には第２取付溝１１ｂが太陽光発電パネル設置用架台側を向くように、第２取付溝１１ｂが太陽光発電パネル側に向いている場合には第１取付溝１１ａが太陽光発電パネル設置用架台側を向くように構成されている。また、第１取付溝１１ａ及び第２取付溝１１ｂはそれぞれ直線状に、かつ両者が平行になるように形成されており、連結金具１において第１取付溝１１ａ及び第２取付溝１１ｂは平面視（ｘｙ平面視）で重ならないように配置されている。このように第１取付溝１１ａ及び第２取付溝１１ｂを形成することにより、第１取付溝１１ａ及び第２取付溝１１ｂが隣り合うように連結金具１を構成することが可能になり、連結金具１の厚み（ｚ方向の長さ）を抑えることができる。
【００２５】
第１取付溝１１ａは、図１（ｂ）に示すように、底面部１１１ａと、底面部１１１ａの両端から対向するように延設される一対の側面部（第１側面部１１２ａ、第２側面部１１３ａ）と、一対の側面部１１２ａ、１１３ａのそれぞれの端部から底面部１１１ａと平行にかつ互いに近づく方向に延設される一対の天面部（第１天面部１１４ａ、第２天面部１１５ａ）とから構成される。また、第２取付溝１１ｂは、図１（ｂ）に示すように、底面部１１１ｂと、底面部１１１ｂの両端から対向するように延設される一対の側面部（第１側面部１１２ｂ、第２側面部１１３ｂ）と、一対の側面部１１２ｂ、１１３ｂのそれぞれの端部から底面部１１１ｂと平行にかつ互いに近づく方向に延設される一対の天面部（第１天面部１１４ｂ、第２天面部１１５ｂ）とから構成される。また、第１取付溝１１ａと第２取付溝１１ｂの長手方向（ｘ方向）の両端面は開放面となっている。本実施形態においては、第１取付溝１１ａと第２取付溝１１ｂとが（反対方向に開口しているものの）隣り合うように形成されているため、第１取付溝１１ａの第２側面部１１３ａは第２取付溝１１ｂの第２側面部１１３ｂとしても機能しており、第２取付溝１１ｂの第２側面部１１３ｂは第１取付溝１１ａの第２側面部１１３ａとして機能しているともいえる。
【００２６】
図１（ｂ）に示すように、第１取付溝１１ａ及び第２取付溝１１ｂはそれぞれが断面視Ｃ字形状を有し、連結金具１は全体として断面視Ｓ字形状を有する。（ここでいう断面とは第１取付溝１１ａ及び第２取付溝１１ｂに直交するｙｚ平面である。）本実施形態においては、第１取付溝１１ａ及び第２取付溝１１ｂが、開口方向が反対方向ではあるものの同じ形状・寸法を有しており、連結金具１は断面視点対称となる形状を有するように構成されている。連結金具１をこのように断面視点対称となる形状にすることにより、上下の区別なく連結金具１を用いることができるため、第１取付溝１１ａ及び第２取付溝１１ｂのどちらを太陽光発電パネル側に向けても使用でき、連結金具１使用の利便性が向上する。
【００２７】
第１取付溝１１ａにおいては、第１側面部１１２ａ及び第２側面部１１３ａの離隔間隔（ｙ方向の間隔）が、連結金具１と太陽光発電パネル、連結金具１と太陽光発電パネル設置用架台の固定に用いる六角ボルト２の頭部２１の二面幅に等しいか又は大きく、かつ六角ボルト２の頭部２１の対角距離よりも小さく形成されており、第２取付溝１１ｂにおいても、第１側面部１１２ｂ及び第２側面部１１３ｂの離隔間隔（ｙ方向の間隔）が、連結金具１と太陽光発電パネル、連結金具１と太陽光発電パネル設置用架台の固定に用いる六角ボルト２の頭部２１の二面幅に等しいか又は大きく、かつ六角ボルト２の頭部２１の対角距離よりも小さく形成されている。このように第１取付溝１１ａ及び第２取付溝１１ｂを形成することにより、各取付溝の一対の側面部（第１側面部１１２ａ及び第２側面部１１３ａ、あるいは第１側面部１１２ｂ及び第２側面部１１３ｂ）が六角ボルト２の頭部２１を回転不能に保持することができるので、連結金具１を用いた太陽光発電パネルの太陽光発電パネル設置用架台への取付作業を安定的に行うことができるとともに、取付状態を安定させることができる。
【００２８】
また、第１取付溝１１ａにおいては、第１天面部１１４ａ及び第２天面部１１５ａの離隔間隔（ｙ方向の間隔）が、六角ボルト２の軸部２２の軸径に等しいか又は大きく、かつ六角ボルト２の頭部２１の二面幅よりも小さく形成されており、第２取付溝１１ｂにおいても、第１天面部１１４ｂ及び第２天面部１１５ｂの離隔間隔（ｙ方向の間隔）が、六角ボルト２の軸部２２の軸径に等しいか又は大きく、かつ六角ボルト２の頭部２１の二面幅よりも小さく形成されている。このように第１取付溝１１ａ及び第２取付溝１１ｂを形成することにより、各取付溝（第１取付溝１１ａ及び第２取付溝１１ｂ）に嵌合させた六角ボルト２の頭部２１が一対の天面部（第１天面部１１４ａ及び第２天面部１１５ａ、あるいは第１天面部１１４ｂ及び第２天面部１１５ｂ）の間（すなわち第１取付溝１１ａ及び第２取付溝１１ｂの開口）から抜けないように保持することができるので、連結金具１を用いた太陽光発電パネルの太陽光発電パネル設置用架台への取付作業を安定的に行うことができるとともに、取付状態を安定させることができる。
【００２９】
本実施形態においては、連結金具１はアルミニウム合金製であり、例えば押出成形によって形成されるがこれに限られるものではなく、太陽光発電パネルと太陽光発電パネル設置用架台との間に挟み込まれ、太陽光発電パネルの架台への取付金具としての使用に十分な強度や耐久性等が確保できれば、ステンレス鋼等他の金属製であってもよい。
【００３０】
続いて、図２及び３を参照しながら、六角ボルト２及び六角ナット８を用いて連結金具１を太陽光発電パネル３及び太陽光発電パネル設置用架台４に締着させる流れを説明する。六角ボルト２は例えばステンレス鋼製であり、六角柱形状の頭部２１と、外周面にネジ山（不図示）が形成された円柱形状の軸部２２とが一体となった構造を有している。六角ナットは例えばステンレス鋼製であり、全体が六角柱形状を呈し、中心には内周面に六角ボルト２に対応するネジ溝が形成された貫通孔（不図示）が形成されている。なお、本実施形態においては、第１取付溝１１ａを太陽光発電パネル３側に向けて連結金具１を使用する前提で説明を行う。
【００３１】
図２（ａ）には六角ボルト２を用いて連結金具１を太陽光発電パネル３のフレーム３１に締着させた状態が示されており、（ｂ）にはその分解状態が示されている。図２に示すように、六角ボルト２は、その頭部２１を、開放面となっている連結金具１の第１取付溝１１ａの長手方向（ｘ方向）端面からスライド挿入することによって、連結金具１に嵌合させられ、その軸部２２は連結金具１の第１取付溝１１ａの開口（第１天面部１１４ａと第２天面部１１５ａとの間）から突出した状態になる。この突出した軸部２２を太陽光発電パネル３のフレーム３１に設けられている取付孔３２に挿通させ、さらに歯付き座金５、平座金６、ばね座金７を軸部２２に通した上で、六角ナット８を軸部２２ に取り付ける。この状態で六角ボルト２及び六角ナット８を締めることにより、連結金具１を太陽光発電パネル３のフレーム３１に締着させることができる。
【００３２】
図３（ａ）には六角ボルト２を用いて連結金具１を太陽光発電パネル設置用架台４の桟材に締着させた状態が示されており、（ｂ）にはその分解状態が示されている。図３に示すように、六角ボルト２は、その頭部２１を、開放面となっている連結金具１の第２取付溝１１ｂの長手方向（ｘ方向）端面からスライド挿入することによって、連結金具１に嵌合させられ、その軸部２２は連結金具１の第２取付溝１１ｂの開口（第１天面部１１４ｂと第２天面部１１５ｂとの間）から突出した状態になる。この突出した軸部２２を太陽光発電パネル設置用架台４の桟材４１に設けられているボルト挿通孔４２に挿通させ、さらに平座金６、ばね座金７を軸部２２に通した上で、六角ナット８を軸部２２ に取り付ける。この状態で六角ボルト２及び六角ナット８を締めることにより、連結金具１を太陽光発電パネル設置用架台４の桟材４１に締着させることができる。
【００３３】
続いて、太陽光発電パネル３を連結金具１を用いて太陽光発電パネル設置用架台４に取り付ける流れを説明する。ここでは、太陽光発電パネル設置用架台４から故障等により交換される太陽光発電パネル３Ａ（旧パネル３Ａ）を取り外した後、交換して新たに取り付けられる太陽光発電パネル３（新パネル３）を太陽光発電パネル設置用架台４に取り付けるものとする。
【００３４】
図４（ａ）に示すように、新たに取り付けられる太陽光発電パネル３（新パネル３）のフレーム３１には、太陽光発電パネル設置用架台４に取り付けるために用いられる取付孔３２が４箇所設けられている。一方、図４（ｂ）に示すように、交換のために取り外された太陽光発電パネル３Ａ（旧パネル３Ａ）のフレーム３１Ａにも、太陽光発電パネル設置用架台４に取り付けるために用いられる取付孔３２Ａが４箇所設けられているが、型番の違いにより、新パネル３に設けられている取付孔３２の位置と旧パネル３Ａに設けられている取付孔３２Ａの位置とにずれが発生してしまっている。
【００３５】
図５には、太陽光発電パネル設置用架台４から旧パネル３Ａを取り外した状態が示されており、太陽光発電パネル設置用架台４の桟材４１にはボルト挿通孔４２が４箇所設けられている。この４箇所のボルト挿通孔４２の位置は、元々取り付けられていた旧パネル３Ａの取付孔３２Ａに対応した位置になっているため、太陽光発電パネル設置用架台４に直接新パネル３を載置し、取付孔３２とボルト挿通孔４２とを用いて六角ボルト２及び六角ナット８で固定することはできない。
【００３６】
そこで、新パネル３と太陽光発電パネル設置用架台４との間に連結金具１を４つ挟み込み、連結金具１を介して新パネル３を太陽光発電パネル設置用架台４に取り付ける。具体的には、新パネル３の取付孔３２と太陽光発電パネル設置用架台４のボルト挿通孔４２との位置関係に応じて連結金具１をｘｙ平面上で回転させて調整し、連結金具１の第１取付溝１１ａに嵌合させた六角ボルト２が新パネル３の取付孔３２に対応する位置に来るようにし、連結金具１の第２取付溝１１ｂに嵌合させた六角ボルト２が太陽光発電パネル設置用架台４のボルト挿通孔４２に対応する位置に来るようにする。図６に、４つの連結金具１を用いて、新パネル３を太陽光発電パネル設置用架台３に取り付けた状態を示す。このように、太陽光発電パネル３側の取付孔３２と太陽光発電パネル設置用架台４側のボルト挿通孔４２との位置関係に応じて連結金具１を回転させて調整するだけで、太陽光発電パネル３側の取付孔３２が太陽光発電パネル設置用架台４側のボルト挿通孔４２の位置に対応する位置になくとも、連結金具１を介して太陽光発電パネル３を太陽光発電パネル設置用架台４に取り付けることが可能となる。
【００３７】
以上説明した連結金具１によれば、二つの取付溝（第１取付溝１１ａ及び第２取付溝１１ｂ）の一方の取付溝（第１取付溝１１ａ）を太陽光発電パネル３側に、もう一方の取付溝（第２取付溝１１ｂ）を太陽光発電パネル設置用架台４側に向けて当該連結金具１を配置し、それぞれの取付溝に六角ボルト２の頭部２１を嵌合させ、一方の取付溝（第１取付溝１１ａ）の天面部（第１天面部１１４ａ、第２天面部１１５ａ）と太陽光発電パネル３のフレーム３１とを挟み込むように六角ボルト２と六角ナット８とで連結金具１と太陽光発電パネル３とを締着し、もう一方の取付溝（第２取付溝１１ｂ）の天面部（第１天面部１１４ｂ、第２天面部１１５ｂ）と太陽光発電パネル設置用架台４の桟材４１とを挟み込むように六角ボルト２と六角ナット８とで連結金具１と太陽光発電パネル設置用架台４とを締着することができるので、太陽光発電パネル３側の取付孔３２と太陽光発電パネル設置用架台４側のボルト挿通孔４２との位置関係によらず、太陽光発電パネル３を太陽光発電パネル設置用架台４に取り付けることができる。特に、連結金具１に第１取付溝１１ａ及び第２取付溝１１ｂが互いに反対方向を向いて開口するように形成されており、また、第１取付溝１１ａ及び第２取付溝１１ｂがそれぞれ直線状に、かつ両者が平行になるように形成されていることにより、本実施形態の連結金具１は、太陽光発電パネル３側の取付孔３２と太陽光発電パネル設置用架台４側のボルト挿通孔４２との様々な位置関係に適用することができる。
【００３８】
以上、本発明の一実施形態について図面を参照して説明してきたが、本発明は上記実施形態に限定されず、種々の変更実施が可能である。
【産業上の利用可能性】
【００３９】
本発明の連結金具は、太陽光発電パネル設置用架台に取り付けられた太陽光発電パネルの交換の自由度を高めることができ、様々なタイプの太陽光発電パネルを太陽光発電パネル設置用架台に取り付ける際に広く利用することができる。
【符号の説明】
【００４０】
１  連結金具
１１ａ  第１取付溝
１１１ａ  底面部
１１２ａ  第１側面部
１１３ａ  第２側面部
１１４ａ  第１天面部
１１５ａ  第２天面部
１１ｂ  第２取付溝
１１１ｂ  底面部
１１２ｂ  第１側面部
１１３ｂ  第２側面部
１１４ｂ  第１天面部
１１５ｂ  第２天面部
２  六角ボルト
２１  頭部
２２  軸部
３，３Ａ  太陽光発電パネル
３１，３１Ａ  フレーム
３２，３２Ａ  取付孔
４  太陽光発電パネル設置用架台
４１  桟材
４２  ボルト挿通孔
５  歯付き座金
６  平座金
７  ばね座金
８  六角ナット
【要約】
本発明の連結金具１は、太陽光発電パネル３を太陽光発電パネル設置用架台４に取り付ける際に、太陽光発電パネル３と太陽光発電パネル設置用架台４との間に介在させ、六角ボルト２を用いて太陽光発電パネル３及び太陽光発電パネル設置用架台４のそれぞれに固定され、反対方向に開口する二つの取付溝１１ａ、１１ｂを備え、二つの取付溝１１ａ、１１ｂのそれぞれが、底面部１１１ａ、１１１ｂと、底面部１１１ａ、１１１ｂの両端から対向するように延設される一対の側面部１１２ａ、１１３ａ、１１２ｂ、１１３ｂと、一対の側面部１１２ａ、１１３ａ、１１２ｂ、１１３ｂのそれぞれの端部から底面部１１１ａ、１１１ｂと平行にかつ互いに近づく方向に延設される一対の天面部１１４ａ、１１５ａ、１１４ｂ、１１５ｂと、を有する。かかる連結金具１によれば、太陽光発電パネル３側の取付孔３２と太陽光発電パネル設置用架台４側のボルト挿通孔４２との位置関係によらず、太陽光発電パネル３を太陽光発電パネル設置用架台４に取り付けることができる。【図１】
0006822722.tif 000002
【図２】
0006822722.tif 000003
【図３】
0006822722.tif 000004
【図４】
0006822722.tif 000005
【図５】
0006822722.tif 000006
【図６】
0006822722.tif 000007
【図７】
0006822722.tif 000008